(57)【要約】【課題】  利用者の頭部によるカバーの一部が汚れた場合でも、カバー全体を洗浄する必要がないようにした椅子式マッサージ機のカバーを提供すること。【解決手段】  ヘッドカバー２４の基部には、ポリエステル繊維からなり、厚みが例えば１０ｍｍ程度の生地の基材４０をヘッドカバー２４の端部と共に丸めてポリエステル繊維の糸４１にて縫着し、略円柱状で弾力性のあるストッパー部４２を形成する。本体カバー２１の袋状部２９の背面には横方向に切り込み４３を形成し、この切り込み４３を介してヘッドカバー２４のストッパー部４２を挿入し、ヘッドカバー２４を袋状部２９の表面に沿って配設して、ヘッドカバー２４を本体カバー２１の上部に着脱自在に装着する。本体カバー２１にヘッドカバー２４を装着した状態では、ヘッドカバー２４のストッパー部４２が本体カバー２１の内面に当接して、無理矢理引き出さない限りは外れない。【選択図】        図８
2005058546.tif 000002
【特許請求の範囲】
【請求項１】
座部（３）と、この座部（３）の後ろ側に設けられている背もたれ部（４）とからなる椅子式のマッサージ機において、
少なくとも前記背もたれ部（４）覆う本体カバー（２１）を設け、この本体カバー（２１）の上部にヘッドカバー（２４）を着脱自在に装着していることを特徴とする椅子式マッサージ機のカバー。
【請求項２】
前記ヘッドカバー（２４）の基部に所定の厚さを有する弾力性のある基材（４０）を一体に縫着してストッパー部（４２）を形成し、前記本体カバー（２１）の上部背面に前記ヘッドカバー（２４）を挿通させる切り込み（４３）を形成し、この切り込み（４３）の内側に前記ストッパー部（４２）を位置させていることを特徴とする請求項１記載の椅子式マッサージ機のカバー。
【請求項３】
前記ヘッドカバー（２４）の基材（４０）の横方向の寸法を前記切り込み（４３）の横方向の寸法より長くしていることを特徴とする請求項２に記載の椅子式マッサージ機のカバー。
【請求項４】
前記本体カバー（２１）は、マッサージ機１の座部（３）と背もたれ部（４）とを連続して覆うようにしていることを特徴とする請求項１〜請求項３のいずれかに記載の椅子式マッサージ機のカバー。
【発明の詳細な説明】
【技術分野】
【０００１】
本発明は、利用者が座ったり、もたれたりして各種のマッサージ機能を行なう椅子式マッサージ機のカバーに関するものである。
【背景技術】
【０００２】
相当以前より椅子式のマッサージ機が提供されており、指圧、揉み、タタキ、背筋伸ばし、振動発生などの各種のマッサージ効果を発揮する椅子式のマッサージ機は、さらに近年、そのマッサージ機能の多様化が図られている。例えば、背もたれ部が倒起し、且つ座部の前側に設けられたフットレストを付属させ、背もたれ部とフットレストを略水平状態にしてマッサージを行なう豪華な椅子式のマッサージ機が各社から提供されている。
【０００３】
このような椅子式のマッサージ機は、個人が購入して自宅で使用するのはもちろん、アスレチッククラブ、老人クラブ、また近年流行してきている大浴場を有する健康ランドなどの健康関連施設に配置して利用者が無料、あるいは有料で使用するようになっている。
また、温泉旅館、ビジネスホテル、高級ホテルなどにおいても、大浴場の着替え室にもマッサージ機が置かれていて、風呂上がりにマッサージ機にてマッサージが行えるようになっている。
【０００４】
かかるマッサージ機の人体に接する部分には、カバーを装着して汚れを防ぐことが望まれており、特に、上述の健康関連施設や、旅館、ホテルなどの不特定多数の人が使用する場所では、衛生面からもカバーの使用が望まれている。
また、お風呂上がりの人がマッサージ機を使用する場合、裸の状態で使用したり、あるいは浴衣を着ていても背中などが濡れているとマッサージ機が濡れてしまい、マッサージ機の表面に使用されている生地を痛めたりする。また、マッサージ機の表面が濡れていると、後から使用する人に不快感を与えたりすることになる。
【０００５】
そこで、例えば、下記の特許文献１、特許文献２、及び特許文献３に示すようにマッサージ機にカバーを装着するようにしたのが提案されている。
【０００６】
【特許文献１】特開平１１−３４２１７０号公報
【特許文献２】特開２０００−２３６９９４号公報
【特許文献３】実用新案登録第３０１７０９５号公報
【０００７】
上記特許文献１では、椅子式のマッサージ機の背もたれ部に、該背もたれ部の全体を覆う保護カバーが設けられており、また、特許文献２では、椅子式のマッサージ機の座部に敷く座部カバーが設けられている。さらに、特許文献３においては、椅子式のマッサージ機の背もたれ部と座部の全体を覆うようにしたカバー主体が装着されている。
【０００８】
特許文献１では、保護カバーはマッサージ機の背もたれ部の上部にチャックにて一体的に装着されており、使用中に保護カバー自体は座部側へはずれない構造となっている。また、特許文献２においては、マッサージ機の背もたれ部にはカバーがなく、座部にカバーを着脱自在に設けており、座部カバーの後部に設けた取付バンドと連結バンドで座部カバーをマッサージ機に装着している。
この座部カバーにおいては、バンドでマッサージ機側に固定しているために、使用中において座部カバーが前方にずれることを防いでいる。
【０００９】
また、特許文献１では保護カバーが背もたれ部のみで、特許文献２ではカバーは座部のみであり、背もたれ部と座部を覆うカバーを設けてマッサージ機の全体を覆うようにしているのが特許文献３である。
【００１０】
上記特許文献２では、カバーが座部のみであるために、旅館、ホテル、健康関連施設においては不特定多数の人間が使用するために、人の頭が当たる背もたれ部の上部が汚れ易いという問題がある。特に、髪の毛に整髪料を使っているので、この整髪料によりマッサージ機の背もたれ部自体が汚れてしまう。
また、特許文献１では、背もたれ部に保護カバーが設けてあるものの、やはり、人の整髪料により保護カバーの上部のみが汚れても保護カバー全体を洗浄する必要がある。
【００１１】
特許文献３においても、座部と背もたれ部の全体を覆うカバーの場合でも、頭部の整髪料によりカバーの上部のみが汚れ易くなり、一部が汚れた場合であっても、利用者に不快感や不衛生といった印象を与えないために、やはり洗浄しなければならないという問題があった。
【発明の開示】
【発明が解決しようとする課題】
【００１２】
本発明は、上述の問題点に鑑みて提供したものであって、利用者の頭部によるカバーの一部が汚れた場合でも、カバー全体を洗浄する必要がないようにした椅子式マッサージ機のカバーを提供することを目的としているものである。
【課題を解決するための手段】
【００１３】
そこで、本発明の請求項１記載の椅子式マッサージ機のカバーでは、座部３と、この座部３の後ろ側に設けられている背もたれ部４とからなる椅子式のマッサージ機において、少なくとも前記背もたれ部４覆う本体カバー２１を設け、この本体カバー２１の上部にヘッドカバー２４を着脱自在に装着していることを特徴としている。
【００１４】
請求項２に記載の椅子式マッサージ機のカバーでは、前記ヘッドカバー２４の基部に所定の厚さを有する弾力性のある基材４０を一体に縫着してストッパー部４２を形成し、前記本体カバー２１の上部背面に前記ヘッドカバー２４を挿通させる切り込み４３を形成し、この切り込み４３の内側に前記ストッパー部４２を位置させていることを特徴としている。
【００１５】
請求項３に記載の椅子式マッサージ機のカバーでは、前記ヘッドカバー２４の基材４０の横方向の寸法を前記切り込み４３の横方向の寸法より長くしていることを特徴としている。
【００１６】
請求項４に記載の椅子式マッサージ機のカバーでは、前記本体カバー２１は、マッサージ機１の座部３と背もたれ部４とを連続して覆うようにしていることを特徴としている。
【発明の効果】
【００１７】
本発明の請求項１記載の椅子式マッサージ機のカバーによれば、本体カバー２１の上部にヘッドカバー２４を着脱自在に装着しているので、頭部の整髪料などでヘッドカバー２４が汚れた場合には、本体カバー２１自体を洗浄することなく、本体カバー２１からヘッドカバー２４を取り外して該ヘッドカバー２４のみを洗浄すれば良く、ランニングコストを低く抑えることができる。
【００１８】
請求項２に記載の椅子式マッサージ機のカバーによれば、本体カバー２１の上部背面にヘッドカバー２４を挿通させる切り込み４３を形成し、この切り込み４３の内側に前記ストッパー部４２を位置させているので、このストッパー部４２が本体カバー２１の切り込み４３の内側に当接してストッパーとなり、マッサージ機１の通常の使用状態では容易に外れることはない。また、ヘッドカバー２４の洗浄時に取り外す場合には、ストッパー部４２は弾力性を有しているので、切り込み４３を介して本体カバー２１からヘッドカバー２４を容易に取り外すことができる。さらに、本体カバー２１にヘッドカバー２４を装着するのに、金属製のチャックやプラスティック製の面ファスナーなどを用いていないので、多数のヘッドカバー２４を一緒に洗浄してもヘッドカバー２４の生地を傷つけることもない。
【００１９】
請求項３に記載の椅子式マッサージ機のカバーによれば、ヘッドカバー２４の基材４０の横方向の寸法を前記切り込み４３の横方向の寸法より長くしているので、マッサージ機１の通常の使用状態では、ヘッドカバー２４が本体カバー２１から一層離脱しにくくしている。
【００２０】
請求項４に記載の椅子式マッサージ機のカバーによれば、本体カバー２１は、マッサージ機１の座部３と背もたれ部４とを連続して覆うようにしているものであり、大きな本体カバー２１を洗浄することなく、ヘッドカバー２４のみの洗浄で済み、ランニングコストを低く抑えることができる。
【発明を実施するための最良の形態】
【００２１】
以下、本発明の実施の形態を図面を参照して詳細に説明する。図１はマッサージ機１の斜視図を示し、図２はマッサージ機１の側面図を示している。なお、このマッサージ機１の形状や構造は一例であり、図示する形状のマッサージ機１に本発明が限定されるものではない。
【００２２】
図１及び図２に示すように、このマッサージ機１の全体を支持するフレーム部２の上面には座部３が設けられており、この座部３の後部側にリクライニング式の背もたれ部４が起倒自在に設けられている。また、座部３の前部側には２段式で起倒自在なフットレスト５が設けられていて、このフットレスト５には両足を入れる凹部１２が形成されている。
フレーム部２の両側で座部３の両側には前後に一対の支柱７、８が立設されていて、この支柱７、８の上面に肘掛け１０がそれぞれ設けてある。また、一方の肘掛け１０の近傍には各種のマッサージの操作を行なうための操作盤１１が設けられている。
【００２３】
なお、図示はしないが背もたれ部４の内部には、指圧、揉み、タタキ、背筋伸ばし、振動発生などの各種のマッサージ効果を発揮するマッサージユニットが配設されている。また、フレーム部２の内部にはマッサージユニットを駆動するための駆動部が納装されており、さらには、前記フットレスト５を駆動するためのロッド９がフレーム部２から突出自在に設けられている。
【００２４】
図３は上記マッサージ機１の略全体にわたってカバー本体２０にて覆った状態の斜視図を示し、このカバー本体２０は、背もたれ部４と座部３とを連続して覆う本体カバー２１と、フットレスト５の全体を覆う足元カバー２２と、両側の肘掛け１０の全体を覆う一対の肘掛けカバー２３と、前記本体カバー２１の上部の上面に着脱自在に装着しているヘッドカバー２４とで構成されている。
【００２５】
前記本体カバー２１は、基本的には２つの生地を縫い合わせて構成したものであり、図４に示すように、背もたれ部分２６と座部部分２７とで分割して構成されており、この背もたれ部分２６の端部と座部部分２７の端部とを縫い合わせて図５に示すように連続した本体カバー２１を形成するようにしている。
本体カバー２１の背もたれ部分２６の上部は図６に示すように所定の寸法を折り返すと共に、両側にマチ生地２８を縫着し、マッサージ機１の背もたれ部４の上部に挿入して装着するための袋状部２９が形成されている。
【００２６】
図１２は肘掛けカバー２３の下面から見た展開図を示し、この肘掛けカバー２３の前部３０はゴムと一緒に縫着して伸縮自在とし、肘掛けカバー２３を肘掛け１０の前部に装着し易いようにしている。また、肘掛けカバー２３の後部３１は、肘掛け１０の支柱８の幅広に合わせて幅を広く形成し、この肘掛けカバー２３を肘掛け１０に装着した場合に、ずり落ちないように両側に設けたフック３２にて止めている。
【００２７】
図１３は足元カバー２２の平面図を示し、この足元カバー２２はフットレスト５の凹凸の表面に沿うように這わし、その足元カバー２２の上に足を置くので、足元カバー２２の形状は、タオル状の形状とした長方形としている。
【００２８】
カバー本体２０を構成している４つの部材、すなわち、本体カバー２１、足元カバー２２、肘掛けカバー２３及びヘッドカバー２４の材料としては、ポリエステル繊維を用いており、汗や風呂上がりの際の水分を吸収し易いようにしている。
また、カバー本体２０の厚みとしては、約１ｍｍ程度として、汗を吸収し易くすると共に、若干の弾力性をも付与して、利用者に快適に使用できるようにしている。
【００２９】
ここで、背もたれ部分２６と座部部分２７とからなる本体カバー２１を１枚ものの生地で構成すると、本体カバー２１の下面には何も引っ掛かり部分がないので、マッサージ機１の座部３に対して滑り易くなり、本体カバー２１が前方へずれてしまうことになる。
そこで、マッサージ機１の背もたれ部４と座部３との間に位置する本体カバー２１の裏面に滑り防止の手段を設けるようにしている。
【００３０】
図１４は、本体カバー２１の図４に示す状態から図５に示す背もたれ部分２６と座部部分２７とを縫い合わせる場合の図を示し、背もたれ部分２６の端部２６ａを約１０〜１５ｍｍほど折り返し、また、座部部分２７の端部２７ａを同様に約１０〜１５ｍｍほど折り返して、両端部２６ａ、２７ａの基部部分をポリエステル繊維からなる糸３３にて縫い合わせる。これで、背もたれ部分２６と座部部分２７とが連結されて１枚ものの本体カバー２１となる。
【００３１】
次に、背もたれ部分２６及び座部部分２７の端部２６ａ、２７ａをそれぞれ完全に折り返して、それぞれポリエステル繊維製の糸３４にて縫着する。背もたれ部分２６と座部部分２７の両端部２６ａ、２７ａの縫い合わせ部３５は、背もたれ部分２６及び座部部分２７の横方向（幅方向）の全長にわたって形成され、また、縫い合わせ部３５の厚みは背もたれ部分２６及び座部部分２７の約２倍の厚みとなっている。
また、背もたれ部分２６及び座部部分２７は上述した厚みを有すると共に、弾力性があるので、糸３４で縫着した際には生地部分に食い込んだ状態となり、そのため、縫い合わせ部３５の下面は端部２６ａ、２７ａの縁部と共に緩やかな凹凸面３６が形成されることになる。
【００３２】
本体カバー２１の背もたれ部分２６及び座部部分２７の縫い合わせ部３５の凹凸面３６がマッサージ機１の座部３の表面と接触することになる。すなわち、図１５に示すように、本体カバー２１をマッサージ機１に装着した場合、本体カバー２１の縫い合わせ部３５が座部３の後部の上面に位置させるようにしたものであり、厚みが２倍となっている縫い合わせ部３５の位置は、座部３と背もたれ部４との隅部に位置しているので、利用者の臀部へは縫い合わせ部３５は接触しないようになっている。そのため、厚めの縫い合わせ部３５があっても利用者には違和感を与えることもない。
【００３３】
図１６は説明のために拡大した要部断面図を示し、本体カバー２１の縫い合わせ部３５の全体、及び凹凸面３６がマッサージ機１の座部３の表面に接触することで、本体カバー２１を滑りにくくして、本体カバー２１が前方へずれるのを防止するようにしている。
【００３４】
また、通常のマッサージ機１においては、座部３と背もたれ部４とは別体で構成されているので、該座部３と背もたれ部４との間には空間部３７（図１５参照）が形成される。つまり、マッサージ機１の背もたれ部４や座部３は一般には弾力性があるので、背もたれ部４の端面と座部３の端面は接触ないし近接した状態となっており、この背もたれ部４と座部３の間を押し広げることで空間部３７が形成される。
この空間部３７に本体カバー２１の縫い合わせ部３５の端部を若干入り込ませるように押し付けることで、縫い合わせ部３５が背もたれ部４と座部３との間に位置させることができ、本体カバー２１の滑りを一層防止することができる。
【００３５】
このように、本体カバー２１の裏面に設けた滑り防止の手段としての縫い合わせ部３５自体や、縫い合わせ部３５の凹凸面３６により、本体カバー２１をマッサージ機１に対して滑りにくくすることができ、そのため、本体カバー２１が前方にずれるのを防止することができる。これにより、従来のように本体カバー２１がずれないので、座りにくくなることもなく、また、背もたれ部４のマッサージユニットのローラ等の部材が利用者の背中に当たりにくくなるということも無くなり、快適にマッサージが行なえるようになる。
【００３６】
また、本体カバー２１の背もたれ部分２６及び座部部分２７の両端部２６ａ、２７ａをそれぞれ折り返して縫着した縫い合わせ部３５にて前記滑り防止手段を構成しているので、別途滑り止め等の部材を用いることなく、本体カバー２１の生地を利用しており、そのため、コストも安価に抑えることができる。
【００３７】
ところで、マッサージ機１の座部３と背もたれ部４の全体を覆う本体カバー２１を装着するようにしているが、利用者の髪の毛に使用する整髪料により本体カバー２１の上部は他の部分に比べて非常に汚れ易いものである。
そこで、本発明では、本体カバー２１の上部の上面にもヘッドカバー２４を着脱自在に装着するようにしたものである。
【００３８】
図１０（ａ）はヘッドカバー２４の正面図を示し、図１０（ｂ）はヘッドカバー２４の平面図を示している。乗り物の座席には汚れ防止用のヘッドカバーが着脱自在に設けられているが、この種のヘッドカバーは、チャック、あるいは面ファスナーを用いており、チャックは金属製やプラスティック製であり、また、面ファスナーはプラスティック製である。
そのため、このヘッドカバーを洗浄する場合には、金属製やプラスティック製のチャックや面ファスナーにより該ヘッドカバーの繊維を傷つけたりする恐れがある。
【００３９】
そこで、本発明では、チャックや面ファスナーを用いずにヘッドカバー２４を本体カバー２１に着脱自在に装着可能としている。すなわち、図１０に示すように、ヘッドカバー２４の基部には、ポリエステル繊維からなり、厚みが例えば１０ｍｍ程度の生地の基材４０をヘッドカバー２４の端部と共に丸めてポリエステル繊維の糸４１にて縫着し、略円柱状で弾力性のあるストッパー部４２を形成している。
【００４０】
一方、図６〜図９に示すように、本体カバー２１の袋状部２９の背面には横方向に切り込み４３が形成されており、この切り込み４３を介してヘッドカバー２４のストッパー部４２を挿入し、ヘッドカバー２４を袋状部２９の表面に沿って配設することで、ヘッドカバー２４を本体カバー２１の上部に着脱自在に装着している。
【００４１】
図８に示すように、本体カバー２１にヘッドカバー２４を装着した状態では、ヘッドカバー２４のストッパー部４２が本体カバー２１の内面に当接して、無理矢理引き出さない限りは外れないようになっている。したがって、マッサージ機１を通常に使用している限りはヘッドカバー２４は本体カバー２１から容易に外れることはない。
また、利用者の頭部は丁度ヘッドカバー２４に位置するようにヘッドカバー２４が本体カバー２１に設けてあるので、一番汚れ易い箇所にヘッドカバー２４が位置し、そのため、ヘッドカバー２４のみを本体カバー２１から外して洗浄することができる。なお、ストッパー部４２自体は弾力性を有しているので、本体カバー２１の切り込み４３から容易に取り外すことができるようになっている。
【００４２】
また、カバー本体２０のうち、一番汚れ易いカバーはヘッドカバー２４であるので、ヘッドカバー２４のみを洗浄すれば良いものであり、いちいち大きな本体カバー２１を洗浄する必要はなく、ランニングコストを低く抑えることができる。特に、健康関連施設、旅館、ホテル等の不特定多数の人が利用する場合には、常に清潔感を利用者に与えることができ、安心して使用してもらえる。
また、ヘッドカバー２４の大きさも比較的小さいことから、多くのヘッドカバー２４を一緒に洗浄でき、しかも、ヘッドカバー２４には金属やプラスティックを用いていないので、ヘッドカバー２４の生地を傷つけることもない。
【００４３】
図１１はヘッドカバー２４の他の実施例を示し、ストッパー部４２を構成する基材４０の横方向の寸法を大きくして、本体カバー２１の切り込み４３の寸法より長くし、マッサージ機１の通常の使用状態においてヘッドカバー２４が本体カバー２１から一層離脱しにくくしたものである。
また、図１０に示すように、基材４０と一緒に縫着して形成したストッパー部４２の幅の寸法を切り込み４３より長く形成し、ストッパー部４２以外のヘッドカバー２４の部分の幅を短地く切断して、ストッパー部４２の部分だけ幅方向に切り込み４３より長く形成するようにしても良い。
【００４４】
なお、この実施形態では、マッサージ機１の座部３と背もたれ部４の全体を覆う本体カバー２１にヘッドカバー２４を着脱自在に装着する場合について説明したが、背もたれ部４のみのカバーにヘッドカバー２４を着脱自在に装着するようにしても良い。
【００４５】
なお、図１７〜図１９は本体カバー２１のマッサージ機１に対する滑り防止の他の例を示すものである。すなわち、この実施例では、本体カバー２１の背もたれ部分２６の端部２６ａの長さを約５ｃｍ〜１０ｃｍ程度延出して滑り止め片３８を一体に形成したものである。この滑り止め片３８は図１９に示すように本体カバー２１の横幅の全長にわたって形成されている。
【００４６】
上述したようにマッサージ機１の座部３と背もたれ部４との間は接触ないし近接しているので、図１８に示すように、この座部３と背もたれ部４との間に強制的に形成される空間部３７に滑り止め片３８を挿入することで、弾力性のある座部３と背もたれ部４とで挟持されることになり、マッサージ機１の通常の使用状態では、滑り止め片３８が容易に抜けることはない。
そのため、本体カバー２１はマッサージ機１の座部３や背もたれ部４に対して滑りにくくなり、本体カバー２１が前方へずれるのを確実に防止することができる。
【００４７】
なお、滑り止め片３８を形成する場合に、先の実施形態では、背もたれ部分２６及び座部部分２７を縫着する際に端部２６ａを延出して形成したが、滑り止め片３８を形成する場合、上記のように背もたれ部分２６及び座部部分２７とを分けずに、完全に１枚で形成した本体カバー２１の両面に別体の帯状の滑り止め片３８を縫着して形成するようにしても良い。かかる場合の構成は図示しなくても分かるので、図は省略する。
また、この場合や、図１２に示す場合において、滑り止め片３８の先端部分を折り返したり、あるいは丸めて縫着して引っ掛かり部（図示せず）を形成するようにしても良い。かかる場合、この部分が引っ掛かり部となって座部３と背もたれ部４との間からは容易に抜けることがなくなる。そのため、本体カバー２１が前方へずれにくくなり、一層使い勝手が向上する。
【００４８】
このように、マッサージ機１の座部３と背もたれ部４との間に位置した前記本体カバー２１の部分に滑り止め片３８を形成し、この滑り止め片３８を、マッサージ機１の座部３と背もたれ部４との間に挿入しているので、弾力性のある座部３と背もたれ部４とで挟持された状態となり、滑り止め片３８は座部３と背もたれ部４とで確実に挟持されて滑り止め片３８は抜けにくくなる。そのため、本体カバー２１はマッサージ機１に対して一層滑りにくくなって、本体カバー２１が使用中に前方にずれるのを確実に防止することができる。
しかも、本体カバー２１を１枚もので構成しているので、本体カバー２１の製作が容易となり、また、滑り止め片３８を本体カバー２１に縫着等で設けるだけなので、製造コストを安価に抑えることができる。
【図面の簡単な説明】
【００４９】
【図１】本発明の実施の形態で一例として使用するマッサージ機の斜視図である。
【図２】本発明の実施の形態で一例として使用するマッサージ機の側面図である。
【図３】本発明の実施の形態におけるマッサージ機にカバー本体を装着した場合の斜視図である。
【図４】本発明の実施の形態における本体カバーの分解平面図である。
【図５】本発明の実施の形態における本体カバーの平面図である。
【図６】本発明の実施の形態における本体カバーの上部の要部拡大断面図である。
【図７】本発明の実施の形態における本体カバーにヘッドカバーを装着した状態をマッサージ機の後面から見た図である。
【図８】本発明の実施の形態における本体カバーにヘッドカバーを装着した状態の要部拡大断面図である。
【図９】本発明の実施の形態における本体カバーの要部背面図である。
【図１０】（ａ）（ｂ）は本発明の実施の形態におけるヘッドカバーの正面図及び平面図である。
【図１１】本発明の実施の形態におけるヘッドカバーの他の実施例を示す平面図である。
【図１２】本発明の実施の形態における肘掛けカバーの下面から見た場合の展開図である。
【図１３】本発明の実施の形態における足元カバーの平面図である。
【図１４】（ａ）〜（ｃ）は本発明の実施の形態における本体カバーの縫着する場合に滑り止め防止手段を形成する場合の説明図である。
【図１５】本発明の実施の形態における本体カバーをマッサージ機に装着した場合の要部拡大断面図である。
【図１６】本発明の実施の形態における縫い合わせ部により滑り防止を説明するための説明図である。
【図１７】本発明の第２の実施の形態における滑り止め片を形成する場合の説明図である。
【図１８】本発明の第２の実施の形態における滑り止め片を座部と背もたれ部の間に挿入した状態を示す図である。
【図１９】本発明の第２の実施の形態における本体カバーの平面図である。
【符号の説明】
【００５０】
１  マッサージ機
３  座部
４  背もたれ部
２０  カバー本体
２１  本体カバー
２４  ヘッドカバー
４０  基材
４２  ストッパー部
４３  切り込み
【図１】
2005058546.tif 000003
【図２】
2005058546.tif 000004
【図３】
2005058546.tif 000005
【図４】
2005058546.tif 000006
【図５】
2005058546.tif 000007
【図６】
2005058546.tif 000008
【図７】
2005058546.tif 000009
【図８】
2005058546.tif 000010
【図９】
2005058546.tif 000011
【図１０】
2005058546.tif 000012
【図１１】
2005058546.tif 000013
【図１２】
2005058546.tif 000014
【図１３】
2005058546.tif 000015
【図１４】
2005058546.tif 000016
【図１５】
2005058546.tif 000017
【図１６】
2005058546.tif 000018
【図１７】
2005058546.tif 000019
【図１８】
2005058546.tif 000020
【図１９】
2005058546.tif 000021